(57)【特許請求の範囲】
【請求項１】
それぞれ複数の電話端末が接続される複数の電話交換装置が、それぞれのゲートウェイを介してインターネットに接続され、前記電話端末間で通話可能にするインターネット電話において、
前記インターネットには、該インターネット上での電話交換機能に加えて広告宣伝コンテンツ配信部を有するゲートキーパーを接続し、前記ゲートウェイは、前記ゲートキーパーの前記広告宣伝コンテンツ配信部から配信される広告宣伝コンテンツを蓄積する宣伝広告コンテンツ蓄積部を備え、前記電話交換機は、前記電話端末から発呼がある毎に前記ゲートウェイに蓄積された前記広告宣伝コンテンツを前記電話機端末に送出することを特徴とするインターネット電話における広告宣伝システム。
【請求項２】
前記ゲートウェイは、前記電話交換装置に内蔵されることを特徴とする請求項１に記載のインターネット電話における広告宣伝システム。
【請求項３】
前記ゲートキーパーは、前記発呼した電話端末に前記広告宣伝コンテンツを送出する切替タイミングを配信する切替タイミング配信部を備え、前記ゲートウェイは、前記切替タイミング配信部から配信される前記切替タイミングを蓄積する切替タイミング蓄積部を備えることを特徴とする請求項１又は２に記載のインターネット電話における広告宣伝システム。
【請求項４】
前記各ゲートウェイは、前記ゲートキーパーの前記広告宣伝コンテンツおよび前記切替タイミングを定期的又は所定タイミングでダウンロードすることを特徴とする請求項１、２又は３に記載のインターネット電話における広告宣伝システム。
【発明の詳細な説明】
【０００１】
【発明の属する技術分野】
本発明は、インターネットを利用したインターネット電話システムに関し、特にインターネットを介して通話相手を検索する際に必須であるゲートキーパー（以下、ＧＫという）内に広告宣伝コンテンツを蓄積する機能を有し、このコンテンツ情報を各ゲートウエイ（以下、ＧＷという）に所定のタイミングで配信し、各ＧＷに接続された既存回線交換型電話システムに対して、宣伝広告を所定のタイミングで送出し、インターネット電話利用者に広く宣伝広告を音声で伝え、広告宣伝収入により、インターネット通話費用の無料化又は低減するインターネット電話における広告宣伝システムに関する。
【０００２】
【従来の技術】
インターネットが普及して、各種のサービスがインターネットにより提供されている。インターネットを使用するサービスには、企業や商品の広告サービス、情報検索サービス、インターネットＦＡＸおよびインターネット電話等がある。インターネット電話は、インターネットを使用して通話する通話システムである。インターネット電話によると、ユーザは、最寄のプロバイダに接続するのみで国内外に関係なく他のインターネットユーザと通話可能であるので、通話距離が長くなればなるほど通話料金が従来の加入者電話に比較して劇的に安価となるという利点がある。我が国にあっては、１９９７年からインターネット電話サービスが開始され、将来は電話サービスの主体は、従来の加入者電話に代わりインターネット電話が主流になると予想される。
【０００３】
インターネット電話サービスに関する従来技術は、例えば特開平１１-５５４０８号公報の「広告情報を発信する電話システム」および特開２００１-１８６１９２号公報の「情報端末とサービス情報通信システム」等に開示されている。前者は、インターネットを使用するインターネット電話サービスにおいて広告宣伝情報を発信するシステムを開示している。この特許公開公報において、広告宣伝コンテンツは、広告情報発信装置として独立した機器としてインターネットに接続される。また、広告宣伝情報（音声）と電話音声の切替制御は、同様にインターネットに接続された通話情報交換制御装置で一括して全ての網接続装置（ゲートウェイ：ＧＷ）に対して切替制御を行うように構成されている。
【０００４】
【発明が解決しようとする課題】
上述の従来技術に開示された広告情報発信する電話システムによれば、広告宣伝情報を蓄積するコンテンツサーバ（広告情報発信装置）を、インターネット上に独立して用意する必要があり、設備投資の面で費用が増大する。また、インターネットに接続された各ＧＷに広告宣伝コンテンツを送出するタイミング生成自体を通話情報交換制御装置（ＧＫ）で一括して制御を行う。そのため、制御対象のＧＷ数が増大すると、通話情報交換制御装置自体を交換又は性能アップする必要が生じるという課題があった。
【０００５】
【発明の目的】
本発明は、従来技術の上述した課題に鑑みなられたものであり、専用広告情報発信装置を新たに用意することなく、音声と広告宣伝情報との切替制御も、元々ＧＷ内で生成していた擬似ダイヤルトーン、擬似リングバックトーン（呼び出し音）、保留音等の代わりに各ＧＷ内でローカルに実施可能とし、インターネット電話を構成するＧＫとＧＷの標準構成で広告宣伝情報を送出可能なインターネット電話システムを安価に効率良く構築し、広告宣伝収入によりインターネット電話の通話料を低減又は無料化するインターネット電話における広告宣伝システムを提供することを目的とする。
【０００６】
【課題を解決するための手段】
前述の課題を解決するため、本発明によるインターネット電話における広告宣伝システムは次のような特徴的な構成を採用している。
【０００７】
（１）それぞれ複数の電話端末が接続される複数の電話交換装置が、それぞれのゲートウェイを介してインターネットに接続され、前記電話端末間で通話可能にするインターネット電話において、
前記インターネットには、該インターネット上での電話交換機能に加えて広告宣伝コンテンツ配信部を有するゲートキーパーを接続し、前記ゲートウェイは、前記ゲートキーパーの前記広告宣伝コンテンツ配信部から配信される広告宣伝コンテンツを蓄積する宣伝広告コンテンツ蓄積部を備え、前記電話交換機は、前記電話端末から発呼がある毎に前記ゲートウェイに蓄積された前記広告宣伝コンテンツを前記電話機端末に送出するインターネット電話における広告宣伝システム。
【０００８】
（２）前記ゲートウェイは、前記電話交換装置に内蔵される上記（１）のインターネット電話における広告宣伝システム。
【０００９】
（３）前記ゲートキーパーは、前記発呼した電話端末に前記広告宣伝コンテンツを送出する切替タイミングを配信する切替タイミング配信部を備え、前記ゲートウェイは、前記切替タイミング配信部から配信される前記切替タイミングを蓄積する切替タイミング蓄積部を備える上記（１）又は（２）のインターネット電話における広告宣伝システム。
【００１０】
（４）前記各ゲートウェイは、前記ゲートキーパーの前記広告宣伝コンテンツおよび前記切替タイミングを定期的又は所定タイミングでダウンロードする上記（１）、（２）又は（３）のインターネット電話における広告宣伝システム。
【００１４】
【発明の実施の形態】
以下、本発明によるインターネット電話における広告宣伝システムの好適実施形態の構成および動作を、添付図面を参照して詳細に説明する。
【００１５】
先ず、図１は、本発明によるインターネット電話における広告宣伝システムの好適実施形態の構成を示すブロック図である。図１に示すインターネット電話における広告宣伝システムは、それぞれＧＷ１５０又は２５０を介してインターネット３００に接続される複数の電話交換装置１００又は２００およびこのインターネット３００に接続されるＧＫ４００により構成される。ＧＷ１５０、２５０は、それぞれ宣伝コンテンツ蓄積部１５１、２５１および切替タイミング蓄積部１５２、２５２を含んでいる。また、ＧＫ４００は、宣伝コンテンツ配信部４０１および切替タイミング配信部４０２を含んでいる。
【００１６】
図１に示すインターネット電話における広告宣伝システムにおいて、電話交換装置１００、２００は、端末であるボタン電話機１１０、２１０およびアナログ電話機（ＳＬＴ）やＦＡＸ（ＳＬＴ／ＦＡＸ）１２０、２２０を内線に収容する。そして、ＧＷ１５０、２５０は、これら端末からの音声通話をＩＰ（Internet Protocol）パケット化する。ＧＫ４００は、各ＧＷ間で通話相手のＩＰアドレス検索を行い、インターネット３００上での電話交換を行う。インターネット３００は、各ＧＷ１５０、２５０およびＧＫ４００を接続する。ＧＫ４００は、広告宣伝コンテンツおよびその切替タイミングを入力し、各ＧＷ１５０、２５０へ配信する機能を有する。各ＧＷ１５０、２５０は、広告宣伝コンテンツおよび切替タイミングを蓄積し電話交換装置１００、２００に接続された電話機から発呼がある毎に、指定された切替タイミングで広告宣伝コンテンツを電話機に送出する。
【００１７】
次に、図２は、図１に示す電話交換装置１００の詳細構成を示す。電話交換装置１００は、ボタン電話機１１０を収容するボタン電話機インタフェース（Ｉ／Ｆ）１１１、ＳＬＴ／ＦＡＸ１２０を収容するアナログ電話機Ｉ／Ｆ１２１、これら端末と後述するＧＷを含む回線との音声通話を交換する交換部１３０および電話交換装置１００全体の通信制御を行う主制御部１４０により構成される。ＧＷ１５０は、インターネット３００と既存回線の交換を行う交換部１３０に接続し、交換部１３０からの音声をＩＰパケット化およびその逆でＩＰパケットを復元し交換部１３０に接続する。尚、ＧＷ１５０は、電話交換装置１００に内蔵してもよい。また、電話交換装置２００も、電話交換機１００と同様構成であってもよい。
【００１８】
一方、インターネット３００上のＧＫ４００は、各ＧＷ１５０、２５０から発呼された電話番号から通話相手のＩＰアドレス検索を行う。そして、インターネット３００上での電話交換を行うＧＫとしての機能と共に、ＧＫ４００で制御を行う配下のＧＷ１５０、２５０に対して広告宣伝コンテンツ情報および切替タイミング配信の中央配信装置としての機能を有する。そのため、ＧＫ４００は、広告宣伝コンテンツを入力し一時的に保存する宣伝コンテンツ配信部４０１および各ＧＷ１５０、２５０内で広告宣伝コンテンツを発呼した電話機に送出する切替タイミングを入力し一時的に保存する切替タイミング配信部４０２を有する。
【００１９】
各ＧＷ１５０、２５０は、定期的又は所定のタイミングで宣伝コンテンツおよび切替タイミング情報をＧＫ４００からダウンロードする。そして、ＧＷ１５０、２５０内の宣伝コンテンツ蓄積部１５１、２５１および切替タイミング蓄積部１５２、２５２にそれぞれ蓄積する。以上により、電話交換装置１００、２００に接続された各電話機１１０、２１０等から発呼がある毎に、ＧＷ１５０、２５０の切替タイミング蓄積部１５２、２５２に蓄積した切替タイミングで蓄積した広告宣伝コンテンツ蓄積部１５１、２５１の広告宣伝コンテンツを電話機１１０、２１０に送信し、インターネット電話の音声による広告宣伝を実現する。
【００２０】
以上、本発明によるインターネット電話における広告宣伝システムの好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００２１】
【発明の効果】
以上の説明から明らかな如く、本発明のインターネット電話における広告宣伝システムによると、次の如き実用上の顕著な効果が得られる。即ち、インターネットにゲートキーパーを接続し、各電話交換装置およびインターネット間にゲートウェイを設けるのみでインターネット電話における広告宣伝システムが廉価に実現可能である。そして各電話交換装置の配下の電話機への広告宣伝コンテンツおよび切替タイミングは、ゲートキーパーにより一元的に管理可能であり、各電話交換装置のゲートウェイの広告宣伝コンテンツ蓄積部および切替タイミング蓄積部から送出可能である。
【図面の簡単な説明】
【図１】本発明によるインターネット電話における広告宣伝システムの好適実施形態のシステム構成図である。
【図２】図１のインターネット電話における広告宣伝システムの電話交換装置の詳細構成図である。
【符号の説明】
１００、２００  電話交換装置
１１０、２１０  ボタン電話機
１１１        ボタン電話機Ｉ／Ｆ
１２０、２２０  ＳＬＴ/ＦＡＸ
１２１        アナログ電話機Ｉ／Ｆ
１３０        交換部
１４０        主制御部
１５０、２５０  ゲートウェイ（ＧＷ）
１５１、２５１  宣伝コンテンツ蓄積部
１５２、２５２  切替タイミング蓄積部
３００        インターネット
４００        ゲートキーパー（ＧＫ）
４０１        宣伝コンテンツ配信部
４０２        切替タイミング配信部
【図１】
0003821752.tif 000002
【図２】
0003821752.tif 000003